(57)【特許請求の範囲】
【請求項１】
フレーム（１８；６２）を備えるスクリーン（４；６０；９０）と、前記フレームに張られた半透明のパネル（１０；９８）と、前記半透明パネルの背面にイメージを投射する装置（５；１２１）とを備え、前記半透明のパネルは、イメージが表示される前面と、イメージが投射される背面を有し、前記スクリーン（４；６０；９０）は、引込位置と伸長位置間でシフト可能であり、前記伸長位置では、前記パネルの表面積が前記引込位置に対して少なくとも１０％増加し、前記装置（５；１２１）は、投射イメージのサイズを、前記スクリーンの伸長位置と同様に、引込位置に適合可能であるオーバーヘッドプロジェクタであって、
前記スクリーンの位置を検出する位置センサ（４０）と、
前記位置センサ（４０）により測定された前記スクリーンの位置の関数として、前記半透明パネルの背面に投射されるイメージの内容を変更するイメージ処理ユニット（１２２）とを備えることを特徴とするオーバーヘッドプロジェクタ。
【請求項２】
前記パネル（１０）は、破壊点が少なくとも１０％を超えるストレッチ可能な材料で形成されていることを特徴とする請求項１に記載のオーバーヘッドプロジェクタ。
【請求項３】
前記パネル（１０）は、破壊点が少なくとも３０％を超えるストレッチ可能な材料で形成されていることを特徴とする請求項２に記載のオーバーヘッドプロジェクタ。
【請求項４】
前記ストレッチ可能な材料は、５ＧＰａ未満のヤング率を有することを特徴とする請求項２または３に記載のオーバーヘッドプロジェクタ。
【請求項５】
前記ストレッチ可能な材料は、２ＧＰａ未満のヤング率を有することを特徴とする請求項２または３に記載のオーバーヘッドプロジェクタ。
【請求項６】
前記投射装置（５）は、前記パネルの背面にイメージを投射する光ビームの開口角を調節して、前記投射イメージのサイズを前記スクリーンの位置に適合させる機器（１６）を有することを特徴とする請求項１〜５の何れか１項に記載のオーバーヘッドプロジェクタ。
【請求項７】
前記投射装置（１２１）は、前記投射される初期イメージを処理して、前記パネルの背面の外部周辺に投射されるように設計され、前記スクリーンの位置の減少サイズに適合するよう調節可能な幅を有するバンド（１３０）で包囲された初期イメージの縮小を含み、投射される新たなイメージを発生させる装置（１２２）を有することを特徴とする請求項１〜６の何れか１項に記載のオーバーヘッドプロジェクタ。
【請求項８】
前記パネルの背面にイメージを投射する光ビームの開口角は、前記スクリーンの位置に無関係に一定であることを特徴とする請求項７に記載のオーバーヘッドプロジェクタ。
【請求項９】
前記投射装置は、前記位置センサで求めた位置の関数で、前記イメージのサイズを前記スクリーンの位置に自動的に適合させることができることを特徴とする請求項１〜８の何れか１項に記載のオーバーヘッドプロジェクタ。
【請求項１０】
前記スクリーンの位置を、前記引込位置と伸長位置間の少なくとも１つの中間位置にロックするロックメカニズムを備えることを特徴とする請求項１〜９の何れか１項に記載のオーバーヘッドプロジェクタ。
【請求項１１】
前記イメージ処理ユニットは、
−引込位置では、前記パネル面の第１の部分を占める初期イラストレーションを前記半透明パネルの背面上に投射し、
−伸長位置では、前記パネル面の第１の部分上での前記初期イラストレーションと、前記パネル面の第２の部分上での補足イラストレーションとを前記半透明パネルの背面上に投射し、
−前記第２の部分は、前記伸長位置へシフトした後に現れる前記パネルの付加部分にレイアウトされることを特徴とする請求項１〜１０の何れか１項に記載のオーバーヘッドプロジェクタ。
【請求項１２】
前記イメージ処理ユニット（１２２）は、前記引込位置と前記伸長位置とで、前記スクリーン上の前記初期イラストレーションの大きさが同じであるように処理することを特徴とする請求項１１に記載のオーバーヘッドプロジェクタ。
【発明の詳細な説明】
【技術分野】
【０００１】
本発明は、オーバーヘッドプロジェクタに関し、特にパネルの背面からイメージを投射し、前面からユーザがイメージを観察するタイプのオーバーヘッドプロジェクタに関する。
【背景技術】
【０００２】
従来の一般的なオーバーヘッドプロジェクタ（以下、原則としてＯＨＰと省略する）は、フレーム及びこのフレームに張り付けられた半透明のパネルを有するスクリーンと、この半透明パネルの背面にイメージを投射する装置とを備え、この半透明パネルは、イメージを表示して観察可能にする前面、及びイメージが投射される背面を有する。
【０００３】
ここで、「ＯＨＰ」の用語は、イメージが半透明パネルを透過した後に、観察者が直接的に観察可能な装置を意味するものとする。ＯＨＰは、イメージが不透明スクリーンに投射される装置とは異なる。上述した不透明スクリーンを使用する装置の場合には、イメージが半透明スクリーンで反射された後のみに、観察者は投射されたイメージを観察可能である。
【０００４】
「半透明パネル」の用語は、その背面に投射されたイメージを、前面側において、このパネルの前にいる人、又はユーザが直接観察可能にするパネルである。そのため、このパネルは、例えば背面に投射された光ビームの開口角を、このビームがパネルを通過時に誘発して光を散乱させるエージェント、又は手段を有する。このビームの開口角は、例えば多重屈折により誘発される。
【０００５】
ＯＨＰは、色々な面で利用されている。例えばテレビ受像機として使用されている。
【発明の概要】
【発明が解決しようとする課題】
【０００６】
ＯＨＰには、大きなスクリーンを有するものがあり、そのためユーザに好まれている。スクリーンのサイズが大きくなると、ＯＨＰの運搬移動は困難になるので、何らかの兼ね合いが求められる。
【０００７】
本発明は、従来のＯＨＰの上述の如き課題に鑑みてなされたものであり、上記課題を克服した、即ち移動運搬が容易であるＯＨＰを提供することを目的とする。
【課題を解決するための手段】
【０００８】
上述した課題を解決すると共に上述した目的を達成するために、本発明のＯＨＰは、次の如き特徴的な構成を採用している。即ち、スクリーンは、引込位置と伸長位置間でシフト可能であり、パネルの表面積を、引込位置のパネル表面積に対して、少なくとも１０％増加可能である。また、投射装置は、引込位置及び伸長位置におけるスクリーンの投射イメージのサイズに適合可能である。
【０００９】
本発明によるＯＨＰの実施形態においては、次に列記する複数の特徴のうちの１以上を備えている。
・パネルは、少なくとも１０％以上、好ましくは３０％以上の破壊点を有するストレッチ可能な材料製からなっている。
・このストレッチ可能な材料は、５ＧＰａ以下、好ましくは２ＧＰａ以下のヤング率を有する。
・投射装置は、パネルの背面にイメージを投射する光ビームの開口角を調節可能であり、投射されるイメージのサイズを、スクリーンの位置に適合させる装置を有する。
・投射装置は、投射される初期イメージを処理する装置を有し、パネルの背面の外周に投射されるように、設計されたバンドで包囲される初期イメージの縮小を含む新たな初期イメージを発生可能であり、このバンドの幅は、スクリーン位置の減少サイズに応じて調節可能である。
・パネルの背面へイメージを投射する光ビームの開口角は、スクリーン位置とは無関係に一定である。
・ＯＨＰは、スクリーンの位置センサを有し、投射装置は、センサにより測定された位置の関数としてスクリーン位置にイメージのサイズを自動的に適合可能である。
・ＯＨＰは、スクリーンを引込位置と伸長位置間の少なくとも１つの中間位置に、スクリーン位置をロックするロックメカニズムを有する。
【発明の効果】
【００１０】
上述の如き特徴的な構成を備える本発明のＯＨＰは、次の如き特有の効果を奏しうる。先ず、スクリーンサイズを変更可能にすることにより、例えば運搬時にはスクリーンのサイズを減少させてＯＨＰ全体の占有体積を小型化する。反対に、運搬時以外では、スクリーンを伸長又は拡大可能である。従って、このＯＨＰは、既存のＯＨＰの利点を保持しながら運搬移動を容易にする。
【００１１】
また、引込位置及び伸長位置のスクリーンにイメージを投射可能であるので、ユーザに新たな機能を提供可能にする。例えば、イメージのズーミングにより細部を拡大してイメージの詳細を示す代わりに、ユーザは、スクリーンのサイズを拡大してイメージ全体を拡大可能である。反対に、公共交通機関等のモバイルユースの場合には、ユーザは、スクリーンサイズを縮小することにより、イメージのサイズを縮小する決定が可能である。
【００１２】
更に、本発明のＯＨＰは、次の如き付加的な効果を奏する。
・ストレッチ可能なパネルを使用することにより、パネルの巻き上げ、又は巻き戻し等の巻き上げメカニズムや、その他のメカニズムを使用することなく、スクリーンの拡張が可能である。
・例えば５ＧＰａ未満の低ヤング率のストレッチ可能な材料を使用することにより、スクリーンを拡大するためにユーザが加えなければならない力を低減できる。
・光ビームの開口角の調節装置を使用することにより、スクリーン位置にイメージのサイズを適合できる。
・投射される初期イメージを処理する装置を使用することにより、イメージを投射する光ビームの開口角を調節する光学装置を使用する必要がなくなる。
・イメージを投射する光ビームの開口角を一定に維持することにより、ＯＨＰを簡単にすることができる。
・スクリーン位置に、イメージのサイズを自動的に適合させうるので、ＯＨＰの使用は容易である。
【００１３】
本発明の上述したところ、及びその他の特徴的な構成及び特有の効果は、添付図面を参照して行う、以下の詳細な説明から一層明瞭に理解しうると思う。
【図面の簡単な説明】
【００１４】
【図１】本発明によるＯＨＰの好適な実施形態のスクリーンが引込位置にある状態を示す側面図である。
【図２】図１に示すＯＨＰのスクリーンが伸長位置にある状態を示す側面図である。
【図３】図１に示すＯＨＰのスクリーンの正面図である。
【図４】図２に示すＯＨＰのスクリーンの正面図である。
【図５】本発明のＯＨＰにおけるスクリーン位置をロックするロックメカニズムの１例を示す説明図である。
【図６】直交する２方向へストレッチ可能な本発明によるＯＨＰのスクリーンの正面図である。
【図７】拡張可能なスクリーンを有する本発明によるＯＨＰの他の実施形態の正面図である。
【図８】図７に示すスクリーンの断面図である。
【図９】拡張可能なスクリーンを備える本発明によるＯＨＰの他の実施形態を説明する側面図である。
【図１０】拡張可能なスクリーンを備える本発明によるＯＨＰの更に他の実施形態を説明する側面図である。
【図１１】図１０に示すＯＨＰのスクリーン上における光ビーム投射イメージの１例である。
【図１２】図１０に示すＯＨＰのスクリーン上における光ビーム投射イメージの他の例を示す図である。
【発明を実施するための形態】
【００１５】
次に、本発明によるオーバーヘッドプロジェクタの好適な実施形態を、添付図面を参照して詳細に説明する。尚、これら添付図において、説明の便宜上、同様の要素には同じ符号を使用している。また、当業者に公知である特徴や作用については、詳細な説明を省略する。
【００１６】
図１及び図２は、本発明によるスクリーン４を備えるＯＨＰ２の好適な実施形態を示す側面図である。スクリーン４は、ｘ（水平）方向、及びｙ（垂直）方向と平行な面内で伸長することができる。ｘ方向及びｙ方向は、相互に直交している。スクリーン４の詳細を、図３及び図４に示してある。図１及び図３は、スクリーン４の引込位置又は状態を示し、図２及び図４は、スクリーン４の伸長位置又は状態を示している。
【００１７】
ＯＨＰ２は、スクリーン４の半透明パネル１０の背面８にイメージを投射する投射装置５を有する。投射装置５で投射されたイメージは、このパネル１０の前面２０側にいるユーザが直接観察するようになっている。
【００１８】
そのために、イメージ投射装置５は、プロジェクタ６及び光学機器１６を有する。プロジェクタ６は、光学軸１４に沿って一定の開口角αを有する光ビーム１２を発生させる。光学軸１４は、ｘ方向及びｙ方向と直交するｚ方向を向いている。開口角αは、光学機器１６の中心である光学軸１４、及び光学軸１４から最も離れている光線のなす角度である。光学機器１６は、光ビーム１２の開口角を調節するために使用される。
【００１９】
光学機器１６は、上述した開口角αを、調節可能な開口角θに変更する。この開口角θは、光学軸１４及びこの光学軸１４から最も離れており、パネル１０の周辺に当たる光線のなす角度である。スクリーン４の引込位置と伸長位置間の開口角θの変化の大きさは、少なくとも１０°であり、好ましくは少なくとも２５°、３０°、５０°又は８０°である。この開口角θの最大値は、例えば少なくとも３０°であり、好ましくは５０°又は８０°である。この開口角の最大値が大きければ大きいほど、ＯＨＰ２が必要とするスペースの低減可能性が大きくなる。
【００２０】
同様に、ＯＨＰ２が必要とするスペースを低減させるために、プロジェクタ６は、可能な限り小さな寸法を有する。例えば、プロジェクタ６の最大寸法は、３ｃｍ未満であり、好ましくは２ｃｍ未満である。
【００２１】
プロジェクタ６は、対角法が２０ｃｍのスクリーン上に、例えば１０ルーメンのオーダーの照度を生じる。プロジェクタ６は、透過型又は反射型のＬＣＤ（液晶表示器）スクリーン、又はレーザで照明されるマイクロエレクトロメカニカルシステム（ＭＥＭＳ）又はマイクロミラー等の技術で形成可能である。
【００２２】
スクリーン４は、図３に示す引込位置から、図４に示す伸長位置へシフト可能である。そのために、スクリーン４は、延長可能なフレーム１８を有し、このフレーム１８上にパネル１０がストレッチされる。この実施形態において、パネル１０は、ストレッチ可能に構成されている。そのために、パネル１０は、その破壊点が少なくとも１０％以上、好ましくは３０％、１００％、又は２００％以上の材料で形成されている。
【００２３】
上述した破壊点は、パネル１０が断裂又は破壊される前に得られる所定のストレッチ方向への最大ストレッチである。この限界は、ストレッチ方向へストレッチされたパネル１０の長さと、リラックス（即ち、張力解放）状態におけるパネル１０の長さの差で表わされる。この差は、リラックス状態のパネルの長さに対するパーセンテージで表わされる。
【００２４】
パネル１０は、その弾性限界が破壊強度±５％であるエラスチック（伸縮自在）材料で形成することができる。このストレッチパネルは、その形状を永久変形させることなく、リラックス位置に復帰可能である。
【００２５】
パネル１０の形成に使用される材料のヤング率も低く、５ＧＰａ未満であり、好ましくは２ＧＰａ未満である。従って、このパネル１０をストレッチするためにユーザが加えなければならない力も小さい。
【００２６】
パネル１０は、例えばラテックス、ポリウレタン、ネオプレーン、ポリアクリル等のエラストマにより形成されている。
【００２７】
フレーム１８は、ｙ方向のみへパネル１０を引張るように設計されている。従って、パネル１０は、水平方法、即ちｘ方向へは全く自由度がなく、フレーム１８は、上部水平杆２４及び下部水平杆２６に固定されている。これらの水平杆２４及び２６は、テレスコープ状（又は伸縮自在構造）の垂直杆２８及び３０により相互に水平方向に離間されている。垂直杆２８及び３０は、パネル１０の周辺に沿って設けられている。
【００２８】
垂直杆２８及び３０は、図３に示す引込位置と図４に示す伸長位置間で配置可能である。このために、垂直杆２８及び３０は同様であるので、垂直杆２８のみについて詳細に説明する。垂直杆２８は、滑り杆３２を備え、その内部でスライダ３４をｙ方向へスライドさせる。滑り杆３２の上端は、全く自由度なく垂直杆２８に固定されている。他方、スライダ３４の下端は、全く自由度なく水平杆２６に固定されている。
【００２９】
また、投射装置５は、スクリーン４の位置センサ４０、及び投射装置５を制御する制御ユニット４２を有する。この制御ユニット４２は、位置センサ４０によるスクリーン４の位置の測定値に応じて、投射されたイメージのサイズをスクリーン４の背面８の少なくとも９０％及び最大１００％を占めるように、角度θを自動的に適合又はマッチングさせる。
【００３０】
また、フレーム１８は、スクリーン４をその引込位置、伸長位置及び両方の位置間の多くの中間位置にロックするロックメカニズムを有する。このロックメカニズムの一例を、図５に示してある。
【００３１】
スライダ３４の端部にはボス４６が形成され、このボス４６は、滑り杆３２に形成された対応する溝４８と協働して、スクリーン４の位置をロックする。滑り杆３２は、ｙ方向に沿って溝４８と同様の一連の溝を有する。ボス４６は、例えば板ばね５０により、溝４８と係合される。ユーザが水平杆２４及び２６を移動させるとき、ユーザが加える力が十分であれば、ボス４６を隣の溝４８へ移動させる。また、ユーザが加える力を停止すると、板ばね５０は、ボス４６を特定の溝４８内に保持して、スクリーン４の位置をロックする。
【００３２】
ＯＨＰ２の運搬又は移動時には、ＯＨＰ２のスクリーン４を引込位置とし、ＯＨＰ２の占有スペースを小さくする。この位置では、制御ユニット４２は、角度θを自動的に減少させ、投射されるイメージのサイズを、パネル１０のサイズに適合させる。ユーザが希望すれば、水平杆２４又は２６を引張り、パネル１０が希望するストレッチ位置になるようにする。そこで、位置センサ４０は、スクリーン４の新たな位置を測定し、この情報を制御ユニット４２へ伝送し、投射されるイメージのサイズが、パネル１０の表面サイズに適合するように、角度θを自動的に増加させる。従って、ユーザは、スクリーン４の拡大機能を活用して、観察するイメージを拡大することができる。
【００３３】
図６は、スクリーン４の代替として使用可能な他のスクリーン６０を示す。このスクリーン６０は、ｙ方向及びｘ方向へ同時にストレッチ可能である。このスクリーン６０は、フレーム６２を備えている。このフレーム６２は、２つの対角状に対向する角板６４及び６６で形成されている。角板６４は、相互に直交配置された２個のスライドレール６８及び７０を備えている。相互にｘ方向及びｙ方向に沿ってスライドレール６８及び７０内でスライドしうるように、スライダ７２及び７４が取り付けられている。
【００３４】
同様に、角板６６は、垂直のスライドレール７６及び水平スライドレール７８を備え、それらの内部に、スライダ８０及び８２がスライド可能に取り付けられている。
【００３５】
スライダ８０の上端は、スライダ８４の右端に自由度なく直角に固定されている。スライダ８２の左端は、スライダ７２の下端に自由度なく直角に固定されている。パネル１０が、取付点８４〜８７でフレーム６２の各角部に固定されている。従って、スクリーン６０は、角板６４及び６６上で、ｘ方向及びｙ方向の何れか一方、又は一度に両方へ引っ張ることにより拡大可能である。
【００３６】
図７及び図８は、上述したスクリーン４の代替として使用可能な他のスクリーン９０を示す。このスクリーン９０は、例えば水平杆２６を、半透明パネル９８の巻き上げ機構９２に置換したことを除き、スクリーン４と同じである。
【００３７】
上述した巻き上げ機構９２は、水平軸９６の周りに回転可能に取り付けられたローラ９４を備えている。ローラ９４の各端は、スライダ３４の下端に固定された対応するベアリングに受容されている。パネル９８の端は、一側でローラ９４に、他側で水平杆２４に固定されている。このパネル９８は、スクリーンが引込位置のとき、ローラ９４の周りに数回転巻き取られる。従って、水平杆２４がローラ９４から離れているとき、パネル９８は巻き解きされず、スクリーンの表面積は拡大される。この実施形態において、パネル９８の破壊強度は１０％を超えているか、或いはパネル９８が高い弾性を有する必要はない。好ましくは、ローラ９４は、電気エネルギーを消費することなく、フレーム上でパネル９８のストレッチのために、弾性手段と関連づけてあるのが好ましい。
【００３８】
次に、図９は、本発明によるＯＨＰ１１０の他の実施形態を示す側面図である。
【００３９】
このＯＨＰ１１０は、光学軸１４がｚ方向に対して傾斜していることを除き、上述したＯＨＰ２と同じである。光学軸１４とｙ方向のなす角度は、例えば０°±４５°である。
【００４０】
光ビーム１２をスクリーン４の背面８へ向けるために、ＯＨＰ１１０は、ミラー１１２を有している。ミラー１１２は、光学軸１４に固定されている。
【００４１】
図９において、スクリーン４の伸長又はストレッチ位置を破線で示し、引込位置を、連続線又は実線で示している。同様に、伸長位置のスクリーン４に投射された光ビームを破線で示し、引込位置のスクリーン４に投射された光ビームを実線で示している。
【００４２】
スクリーン４に対するプロジェクタ６のレイアウトは、ＯＨＰ１１０が必要とするｚ方向のスペースを小さくしている。
【００４３】
図１０は、本発明の更に他の実施形態によるＯＨＰ１２０を示す側面図である。このＯＨＰ１２０は、光学機器１６除き、かつ投射装置５がイメージ投射装置１２１に置換されていることを除き、上述したＯＨＰ１１０と同じである。イメージの投射装置１２１は、制御ユニット４２がプロジェクタ６により投射されるイメージを発生可能なイメージ処理ユニット１２２に置換されていることを除き、投射装置５と同じである。この実施形態において、光ビーム１２の開口角θは、スクリーン４の位置と無関係に一定である。この断面を図１１に矩形で表している。角度θは、スクリーン４が伸長位置のとき、ミラー１１２で反射された後、光ビーム１２が背面８の全体を照らすように選択されている。
【００４４】
上述したイメージ処理ユニット１２２は、スクリーン４の背面８に投射された初期イメージを受け、位置センサ４０により測定する。位置センサ４０の測定により、スクリーン４のサイズが変更されたことが分かると、イメージ処理ユニット１２２は、初期イメージを処理して、初期イメージがスクリーン４の背面８の９０％以上、及び少なくとも１００％を占めるようにする。そのために、イメージ処理ユニット１２２は、例えばイメージ１２６を減縮させ、そのイメージの減縮イメージ１２８を得て（図１２参照）、スクリーン４の背面８の外周をバンド１３０で囲むように投射する。このバンド１３０は、例えば黒いバンドである。
【００４５】
従って、図１２に示す如く、減縮イメージ１２８は、断面１２４の中心部分のみを占める。この減縮イメージ１２８の大きさは、減縮イメージ１２８がスクリーンの背面８上に投射され、バンド１３０は背面８の外に投射されるように選択される。よって、この実施形態において、開口角θを調節する必要はない。その代わりに、バンド１３０の幅Ｌのみを調節すればよい。
【００４６】
本発明の要旨や精神を逸脱することなく、上述した以外の多くの実施形態が可能である。例えば、水平杆２８及び３０をエラストマ材料製としたり、フレームを大きくするための他のメカニズムを設計することも可能である。
【００４７】
単一のステレッチ方向へのみストレッチ可能なパネルであれば、パネルの両端及びフレームのアップライトを、ストレッチ方向と平行方向に接触して保持するメカニズムを設けることが可能である。このメカニズムにより、ストレッチ方向と直交方向にパネルが引き込まれるのを阻止又は低減する。
【００４８】
また、上述したものとは異なるロックメカニズムの使用も可能である。例えば、フレームをその引込位置又は伸長位置にロックするには、ピンを移動させたり、又はクランプねじにより行ってもよい。このロックメカニズムは、スクリーンのロック位置数を決定する。このロック位置数は、引込位置と伸長位置の如き最低数２に制限してもよい。
【００４９】
本発明の変形例として、投射されるイメージのサイズをユーザが手動で調節してもよい。この場合には、上述した位置センサ４０を省略することも可能である。
【００５０】
フレームを引込位置と伸長位置へシフトするには、ユーザが制御可能な電気的アクチュエータによるモータ駆動であってもよい。
【００５１】
投射されるイメージの内容は、位置センサ４０により測定されたスクリーン４の位置の関数として変更可能である。例えば、引込位置では、イメージはパネル面の殆どの部分を占める初期イラストレーションのみで形成される。そして、伸長位置では、投射されるイメージは、同じ初期イラストレーションと補足イラストレーションとにより形成される。この補足イラストレーションは、例えば伸長位置へシフトした後に現れるパネルの付加部分にレイアウトされる。
【００５２】
スクリーン上の初期イラストレーションの大きさは、引込位置及び伸長位置で同じである。従って、引込位置へスクリーンをシフトすることにより、補足イラストレーションにアクセスすることが可能になる。これは、町の中心部又は郊外の地図等を参照する場合に応用可能である。初期イラストレーションは、町の中心部のみの地図である。補足のイラストレーションは、その郊外を含む区域の地図である。この適用例において、スクリーンを、引込位置から伸長位置へシフトすることにより、ユーザは、より多くの情報、即ち郊外の地図にアクセス可能になる。
【符号の説明】
【００５３】
２  ＯＨＰ
４  スクリーン
５  投射装置
６  プロジェクタ
８  スクリーンの背面
１０  パネル
１２  光ビーム
１４  光学軸
１６  光学機器
１８  フレーム
２０  パネルの前面
２４、２６  水平杆
２８、３０  垂直杆
３２  滑り杆
３４  スライダ
４０  位置センサ
４２  制御ユニット
４６  ボス
４８  溝
５０  板ばね
６０  スクリーン
６２  フレーム
６４、６６  角板
６８、７０  スライドレール
７２、７４  スライダ
７６、７８  スライドレール
８０、８２  スライダ
８４、８５、８６、８７  取付点
９０  スクリーン
９２  巻上げ機構
９４  ローラ
９６  水平軸
９８  パネル
１１０  ＯＨＰ
１１２  ミラー
１２０  ＯＨＰ
１２１  投射装置
１２２  イメージ処理ユニット
１２４  断面
１２６  イメージ
１２８  減縮イメージ
１３０  バンド
α、θ  開口角
【図１】
0005539054.tif 000002
【図２】
0005539054.tif 000003
【図３】
0005539054.tif 000004
【図４】
0005539054.tif 000005
【図５】
0005539054.tif 000006
【図６】
0005539054.tif 000007
【図７】
0005539054.tif 000008
【図８】
0005539054.tif 000009
【図９】
0005539054.tif 000010
【図１０】
0005539054.tif 000011
【図１１】
0005539054.tif 000012
【図１２】
0005539054.tif 000013